(57)【要約】【課題】  ユーザの嗜好を反映した広告や映像といった情報を自動的に抽出して配信し、端末装置の簡易な操作によって広告の種別を切替えて表示することにより、ユーザの購買意欲を高めることを可能にする、広告配信システム、端末装置、広告配信方法、プログラム及び記録媒体を提供する。【解決手段】  端末装置２は、店舗情報発信装置３から店舗ＩＤを含む店舗データを受信し、端末装置２は、表示部１９に、該店舗データよりエリア広告リストの表示を行なう。表示部１９を、例えば、縦向きから横向きとするような操作が行なわれると、端末装置２は、受信した店舗ＩＤを元に視聴映像サーバ６に視聴履歴があるか照会する。視聴映像サーバ６は、視聴履歴がある場合は、シーンＩＤを端末装置２に送信する。端末装置２は、シーンＩＤを受信した店舗ＩＤに関するリストを視聴履歴広告リストとして表示部１９に表示を行なう。【選択図】図１
2008210331.tif 000002
【特許請求の範囲】
【請求項１】
サーバから端末装置に広告を配信するシステムであって、
前記サーバは、
映像データ及び広告データを保存し、店舗ごとに付与された店舗ＩＤと、前記映像データのシーンごとに付与されたシーンＩＤとを対応付けて記憶し、
前記端末装置は、
現在位置に基づく広告データであるエリア広告と、ユーザが視聴した映像データ又は該映像データに関連する広告データである視聴履歴広告とを切り替えて表示し、
前記サーバに前記店舗ＩＤ又はシーンＩＤを送信し、前記サーバより広告データ又は映像データを取得することを特徴とする広告配信システム。
【請求項２】
前記サーバは、前記店舗ＩＤ、前記シーンＩＤ及びシーンデータ、並びに前記シーンＩＤごとの視聴履歴を保存する視聴映像サーバと、前記店舗ＩＤ及び前記広告データを保存する広告サーバとからなることを特徴とする請求項１に記載の広告配信システム。
【請求項３】
前記端末装置は、前記店舗ＩＤを店舗ごとに設置した店舗情報発信装置から受信することを特徴とする請求項１又は請求項２に記載の広告配信システム。
【請求項４】
サーバから広告を受信する端末装置であって、
店舗ＩＤ、広告データ、該店舗ＩＤに関連した映像のシーンごとに付与したシーンＩＤを対応付けて記憶する記憶部と、
前記サーバから、広告データ又は映像データを取得する制御部と、
現在位置に基づく広告データであるエリア広告と、ユーザが視聴した映像データ又は該映像データに関連する広告データである視聴履歴広告とを切替えて表示する表示部とを備え、
前記制御部は、前記店舗ＩＤから前記記憶部を参照して前記シーンＩＤを取得し、該シーンＩＤを前記サーバに送信することにより、該シーンＩＤに対応する映像データを取得し、前記ユーザが視聴した映像データとして前記表示部に表示させることを特徴とする端末装置。
【請求項５】
店舗ごとに付与された店舗ＩＤを受信する店舗情報受信部を備え、該店舗ＩＤに対応する広告データが前記エリア広告であり、
前記制御部は、前記店舗ＩＤから、前記サーバに、該店舗ＩＤに関連する映像及び該映像の視聴履歴を照会し、該店舗ＩＤに関連する映像について視聴履歴があった場合、該店舗ＩＤに対応する広告データが前記視聴履歴広告であることを特徴とする請求項４に記載の端末装置。
【請求項６】
前記エリア広告と前記視聴履歴広告の切り替えは、前記制御部が、前記端末装置の状態に基づいて行なうことを特徴とする請求項４又は請求項５に記載の端末装置。
【請求項７】
前記端末装置の状態は、該端末装置の表示部の向きによることを特徴とする請求項６に記載の端末装置。
【請求項８】
サーバから端末装置に広告を配信する広告配信方法であって、
前記サーバが、
映像データ及び広告データを保存し、店舗ごとに付与された店舗ＩＤと、前記映像データのシーンごとに付与されたシーンＩＤとを対応付けて記憶するステップと、
前記端末装置が、
現在位置に基づく店舗ＩＤを含む店舗データを受信するステップと、
前記店舗ＩＤに対応する広告データであるエリア広告を表示するステップと、
当該端末装置の状態を検知するステップと、
前記端末装置の状態の変化を検知した場合には、前記サーバに、前記店舗ＩＤを送信して、該店舗ＩＤに対応する前記シーンＩＤに視聴履歴があるか否かの照会を行なうステップと、
視聴履歴がある前記店舗ＩＤに対応する広告データである視聴履歴広告に切り替えて表示するステップとを備えることを特徴とする広告配信方法。
【請求項９】
請求項８に記載の広告配信方法をコンピュータに実行させることを特徴とするプログラム。
【請求項１０】
請求項９に記載のプログラムをコンピュータ読み取り可能に記録したことを特徴とする記録媒体。
【発明の詳細な説明】
【技術分野】
【０００１】
本発明は、端末装置を使用して利用者に広告を提供する広告配信の技術に関する。
【背景技術】
【０００２】
従来、端末装置を対象として広告や情報配信を行なう利便性の向上を目的としたサービスが行なわれてきた。
【０００３】
例えば、検索連動型広告として知られたサービスがある。検索連動型広告とは、検索エンジンで検索されたキーワードといった結果の内容に関連させて広告を表示する技術である。（例えば、特許文献１参照）
この技術は、広告主が検索用語についてオークションで入札し、入札した付け値の高い広告主から順に検索結果を表示するものである。
【０００４】
また、携帯電話用の検索連動型広告として、コンテンツの検索結果の上下に、広告主の営業日・営業時間等にあわせて広告の表示を行なうものがある。
【０００５】
更に、車載端末に情報配信を行なう技術が開示されている。（例えば、特許文献２参照）
この技術は、自動車に端末装置を搭載し、通信システムによりリアルタイムに情報サービスを提供するテレマティクス（Ｔｅｌｅｍａｔｉｃｓ）を利用するもので、例えば、カーナビゲーション装置などの通信機能を備えた車載端末上に広告や情報配信を行なうものである。位置情報に合わせ、リアルタイムな情報を提供することが可能となるため、例えば、目的地で駐車場を検索し、空き情報を確認したり、食事をしたい時に最寄りのレストランを表示させたりすることが可能となる。自動車の現在地情報とシステムを連携させることで、運転中に店舗の近くなどにある広告配信業者が設定した信号の発信ポイントを通過すると、車載端末に自動的に表示されるプッシュ型広告が現れるというものである。
【０００６】
この他にも、ユーザの現在地に基づく広告配信に関する技術が開示されている。（例えば、特許文献３参照）
例えば、携帯端末の位置情報や時間情報に基づいてデータベース検索を行い、ユーザに周辺の店舗や施設を案内したり、クーポン情報又はイベント情報などの地域に関連する情報を配信することができる。
【０００７】
また、この他に、ワンセグデータ放送（地上デジタル放送のワンセグメント部分受信サービス）において、視聴番組と連動した情報提供が行なわれている。例えば番組放送中のデータ放送に番組連動サイトへのリンクを張っておき、番組内で使用された家電等の商品をこの中で紹介するといったことが行われている。
【特許文献１】特許第３６７６９９９号公報
【特許文献２】特開２００１−１０８４７７号公報
【特許文献３】特開２００３−０６７６１５号公報
【発明の開示】
【発明が解決しようとする課題】
【０００８】
しかしながら、特許文献１で説明した端末装置向けの広告システムでは、ユーザのニーズに適合した広告を表示するために、あらかじめユーザがキーワードの入力等によって自分の嗜好に関する情報を入力する必要があった。
【０００９】
また、特許文献２及び特許文献３のように、端末装置の現在地情報に基づいて近くの店舗に関する情報等を配信する技術では、情報が汎用的になり、個々に対する情報の記述が簡素になってしまう、ユーザにとって興味のない余分な情報まで一緒に送られる割には、ユーザの知りたいことに関する情報は十分に提供されない、携帯端末装置のように情報を表示する領域が限られている場合には、情報が多数表示されると表示を閲覧しにくくなる、という問題があった。
【００１０】
また、従来のユーザの嗜好情報に基づいて配信情報を絞り込む方法は、嗜好に適合する情報がない場合に情報が表示されない、嗜好情報の入力方法が不便である、という課題があった。
【００１１】
本発明は、上述の課題を解決するためになされたものであって、その目的は、ユーザの嗜好を反映した広告や映像といった情報を自動的に抽出して配信し、端末装置の簡易な操作によって広告の種別を切替えて表示することにより、ユーザの購買意欲を高めることを可能にする、広告配信システム、端末装置、広告配信方法、プログラム及び記録媒体を提供することである。
【課題を解決するための手段】
【００１２】
斯かる実情に鑑み、第１の発明による広告配信システムは、サーバから端末装置に広告を配信するシステムであって、
前記サーバは、映像データ及び広告データを保存し、店舗ごとに付与された店舗ＩＤと、前記映像データのシーンごとに付与されたシーンＩＤとを対応付けて記憶し、前記端末装置は、現在位置に基づく広告データであるエリア広告と、ユーザが視聴した映像データ又は該映像データに関連する広告データである視聴履歴広告とを切り替えて表示し、前記サーバに前記店舗ＩＤ又はシーンＩＤを送信し、前記サーバより広告データ又は映像データを取得することを特徴とする。
【００１３】
また、第２の発明による広告配信システムは、前記サーバが、前記店舗ＩＤ、前記シーンＩＤ及びシーンデータ、並びに前記シーンＩＤごとの視聴履歴を保存する視聴映像サーバと、前記店舗ＩＤ及び前記広告データを保存する広告サーバとからなることを特徴とする。
【００１４】
また、第３の発明による広告配信システムは、前記端末装置が、前記店舗ＩＤを店舗ごとに設置した店舗情報発信装置から受信することを特徴とする。
【００１５】
また、第４の発明による端末装置は、サーバから広告を受信する端末装置であって、
店舗ＩＤ、広告データ、該店舗ＩＤに関連した映像のシーンごとに付与したシーンＩＤを対応付けて記憶する記憶部と、前記サーバから、広告データ又は映像データを取得する制御部と、現在位置に基づく広告データであるエリア広告と、ユーザが視聴した映像データ又は該映像データに関連する広告データである視聴履歴広告とを切替えて表示する表示部とを備え、前記制御部は、前記店舗ＩＤから前記記憶部を参照して前記シーンＩＤを取得し、該シーンＩＤを前記サーバに送信することにより、該シーンＩＤに対応する映像データを取得し、前記ユーザが視聴した映像データとして前記表示部に表示させることを特徴とする。
【００１６】
また、第５の発明による端末装置は、店舗ごとに付与された店舗ＩＤを受信する店舗情報受信部を備え、該店舗ＩＤに対応する広告データが前記エリア広告であり、前記制御部は、前記店舗ＩＤから、前記サーバに、該店舗ＩＤに関連する映像及び該映像の視聴履歴を照会し、該店舗ＩＤに関連する映像について視聴履歴があった場合、該店舗ＩＤに対応する広告データが前記視聴履歴広告であることを特徴とする。
【００１７】
また、第６の発明による端末装置は、前記エリア広告と前記視聴履歴広告の切り替えは、前記制御部が、前記端末装置の状態に基づいて行なうことを特徴とする。
【００１８】
また、第７の発明による端末装置は、前記端末装置の状態が、該端末装置の表示部の向きによることを特徴とする。
【００１９】
また、第８の発明による広告配信方法は、サーバから端末装置に広告を配信する広告配信方法であって、
前記サーバが、映像データ及び広告データを保存し、店舗ごとに付与された店舗ＩＤと、前記映像データのシーンごとに付与されたシーンＩＤとを対応付けて記憶するステップと、前記端末装置が、現在位置に基づく店舗ＩＤを含む店舗データを受信するステップと、前記店舗ＩＤに対応する広告データであるエリア広告を表示するステップと、当該端末装置の状態を検知するステップと、前記端末装置の状態の変化を検知した場合には、前記サーバに、前記店舗ＩＤを送信して、該店舗ＩＤに対応する前記シーンＩＤに視聴履歴があるか否かの照会を行なうステップと、視聴履歴がある前記店舗ＩＤに対応する広告データである視聴履歴広告に切り替えて表示するステップとを備えることを特徴とする。
【００２０】
また、本発明に係るプログラムは、前記広告配信方法をコンピュータに実行させることを特徴とする。
【００２１】
また、本発明に係る記録媒体は、前記プログラムをコンピュータ読み取り可能に記録したことを特徴とする。
【発明の効果】
【００２２】
以上説明したように、本発明によれば、サーバでは、店舗ＩＤと映像データのシーンＩＤとを対応させて記憶しているので、店舗ＩＤから広告データを取得することができるのみならず、店舗ＩＤから映像データも取得することができ、店舗情報を受信するだけで、ユーザは店舗に関連する映像を見ることができる。
【００２３】
また、ユーザの視聴履歴を反映させた広告を自動的に抽出することにより、ユーザの嗜好を反映させた広告データを表示することができ、広告データがユーザの嗜好に合致して、ユーザの購買意欲を高めることができる。
【００２４】
また、店舗ＩＤは、店舗情報発信装置から受信することにより、嗜好に合致した広告データは、ユーザが現在いるエリアに関連する広告データの中からの抽出となり、広告データがユーザの嗜好に合致しなくとも、エリアに関連する広告データは、そのまま表示を行なうので、ユーザは現在いる地域に関連する広告情報を閲覧することができる。
【００２５】
また、端末装置の表示部の向きにより、現在位置に基づくエリアに関連する広告と視聴履歴を反映させた広告の表示を切り替えることによって、ユーザは、エリア広告と視聴履歴広告のうち現在どちらに関する広告を閲覧しているかを容易に把握することができる。
【００２６】
また、ユーザは、端末装置において、エリア広告と視聴履歴広告の表示を容易に切り替えて閲覧することができる。
【００２７】
また、端末装置は、エリア広告と視聴履歴広告を切り替えて表示するために、様々な広告を煩雑にならずに表示することができる。
【発明を実施するための最良の形態】
【００２８】
以下、図面を参照しながら本発明の実施形態について詳しく説明する。
【００２９】
図１は、本発明における広告配信システム１の概要を示す構成図である。
広告配信システム１は、受信したデータに基づいて広告を表示する端末装置２と、店舗データを発信する店舗情報発信装置３と、例えばユーザの自宅等に設置された、録画番組データベース４及びユーザの視聴履歴データベース５を備えた視聴映像サーバ６と、広告配信会社にあって広告データを蓄積した広告データベース７を備え、端末装置２に店舗ごとの広告を配信する広告サーバ８とからなり、これらは、ネットワークによりつながれている。このネットワークについては、有線、無線を問わない。
【００３０】
端末装置２が、例えば携帯電話であった場合、無線による通信機能及び情報の入出力機能を備え、図示しない携帯電話基地局を介してネットワークに接続される。
【００３１】
また、録画番組データベース４は、例えば、ＨＤＲ（Ｈａｒｄ  Ｄｉｓｃ  Ｒｅｃｏｒｄｅｒ）に蓄積されているものとする。視聴映像サーバ６には、家庭内のメディアサーバ等が考えられる。
【００３２】
また、録画番組データベース４及び視聴履歴データベース５は、視聴映像サーバ６に内蔵されていてもよいし、外付けになっていてもよい。同様に、広告データベース７も、広告サーバ８に内蔵されていてもよいし、外付けになっていてもよい。
【００３３】
（端末装置）
図２は、端末装置２の構成を示したブロック図である。
【００３４】
端末装置２は、以下のモジュールで構成されている。すなわち、端末装置２は、店舗データを受信する店舗情報受信部１１と、該店舗情報受信部１１からの入力を得て、ネットワーク送信処理部１２又は表示管理部１３へ出力する店舗情報管理部１４と、店舗情報管理部１４に入力されたデータを記憶する取得店舗ＩＤデータベース１５と、データを通信用に変調するネットワーク送信処理部１２と、受信したデータを復調するネットワーク受信処理部１６と、データの送受信を行なうネットワーク送受信部１７と、表示管理を行なう表示管理部１３と、該表示管理部１３からの入力を得て表示のための処理を行なう表示処理部１８と、表示部１９と、ユーザが要求を入力するユーザ入力部２０と、表示部１９の傾き状態を検出する表示状態検出部２１とを含んで構成される。
【００３５】
上記の個々のモジュールの制御について、以下に説明を行なう。
【００３６】
店舗情報受信部１１は、店舗情報発信装置３から、店舗ＩＤ、店舗名称データ及び広告概要データを含む店舗データを受信する。
【００３７】
店舗情報管理部１４は、店舗情報受信部１１から店舗データを取得し、取得店舗ＩＤデータベース１５に記録するとともに、該店舗データから店舗ＩＤを抽出し、該店舗ＩＤをネットワーク送信処理部１２へ送り、店舗名称データ及び広告概要データを表示管理部１３へと送る。また、ネットワーク受信処理部１６から視聴履歴が入力されると、取得店舗ＩＤデータベース１５に記録する。更に、ユーザ入力部２０から要求があると、必要に応じて店舗ＩＤ又はシーンＩＤを視聴映像サーバ６又は広告サーバ８それぞれに送信するためにネットワーク送信処理部１２へ出力する。
【００３８】
ネットワーク送信処理部１２は、店舗情報管理部１４から取得した店舗ＩＤやシーンＩＤを所定の通信プロトコルに変換する。例えば、端末装置２と視聴映像サーバ６又は広告サーバ８の間が無線ＬＡＮ（Ｌｏｃａｌ  Ａｒｅａ  Ｎｅｔｗｏｒｋ）で接続され、通信プロトコルにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が利用されている場合、入力されたデータのパケット化とヘッダの付加が行われる。変換処理された店舗ＩＤやシーンＩＤはネットワーク送受信部１７へ出力され、視聴映像サーバ６又は広告サーバ８へ送信される。
【００３９】
ネットワーク受信処理部１６は、視聴映像サーバ６から受信した視聴履歴若しくは視聴映像シーン、又は広告サーバ８から受信した詳細広告データ等に対してヘッダの除去やパケット化データの再構築などの処理を行なう。処理されたデータのうち、視聴履歴は店舗情報管理部１４へ送られ、詳細広告データ及び視聴映像シーンは表示管理部１３へと出力される。
【００４０】
ネットワーク送受信部１７は、視聴映像サーバ６又は広告サーバ８とデータの送受信を行なう。
【００４１】
表示管理部１３は、店舗情報管理部１４から取得した店舗名称データ及び広告概要データ、ネットワーク受信処理部１６から取得した詳細広告データ及び視聴映像シーンの表示を管理する。
【００４２】
表示処理部１８は、店舗名称データ、広告概要データ、詳細広告データ又は視聴映像シーン等を表示部１９に表示させるための処理を行なう。例えば、視聴映像シーンは映像データとしてデコードして表示部１９に出力し、広告概要データや詳細広告データに画像データがあれば画像としてデコードし、テキストデータであればテキスト情報として表示部１９に出力する。
【００４３】
表示部１９は、表示処理部１８から入力されるデータを表示する表示デバイスであり、例えば、液晶パネルなどによって構成される。
【００４４】
ユーザ入力部２０は、端末装置２における、例えば、ボタン等のインターフェイス部である。
【００４５】
表示状態検出部２１は、表示部１９が、例えば、縦になっているか、横になっているか等を検出する、例えば、センサー等の表示画面の状態検出部である。
【００４６】
取得店舗ＩＤデータベース１５は、店舗ＩＤ、店舗名称データ、広告概要データ、視聴履歴などを管理するために店舗情報管理部１４によってデータを蓄積、消去されるデータベースである。データベースの構成の詳細については、以下に説明する。
【００４７】
図３は、端末装置２内の取得店舗ＩＤデータベース１５の一例である。
店舗情報発信装置３から受信した店舗ＩＤ、店舗名称データ、広告概要データなどが格納される。また、例えば、この時、同時に、これらを受信した時刻を合わせて記録してもよい。更に、端末装置２が視聴映像サーバ６に問い合わせて取得した視聴履歴も合わせて記録する。
【００４８】
視聴履歴について、例えば、図３では、視聴履歴があるものは、視聴映像サーバ６から取得したシーンＩＤの値、視聴履歴がないものは「０」、視聴履歴が未確認のもの（問い合わせが完了していないか、結果が取得できないもの）は「−１」で表している。すなわち、視聴履歴の初期値は、「−１」であり、視聴映像サーバ６への問い合わせ処理が完了し、視聴履歴の有無を確認すれば、問い合わせ結果に合わせて視聴履歴が上書きされることになる。図３の例では、店舗ＩＤが「Ａ０００１」はシーンＩＤが「Ｓ０００３」のシーンの視聴履歴あり、「Ａ０００２」及び「Ａ００２５」は視聴履歴なし、「Ａ００１０」は視聴履歴が未確認であることを示している。上記に示したのは一例であって、視聴履歴あり、視聴履歴なし、未確認等の識別ができれば、これに限定されない。
【００４９】
（視聴映像サーバ）
視聴映像サーバ６は、ユーザが視聴または録画した番組の映像を保存すると共に、ユーザの視聴履歴や番組の各シーンと関連付けられた店舗ＩＤを記録する。このために、例えば、ユーザの自宅等で、放送されているテレビの録画番組データを格納する録画番組データベース４と、ユーザ毎に視聴履歴を記録する視聴履歴データベース５とを有している。
【００５０】
録画番組データベース４には、各々のシーンＩＤに対して開始時間と終了時間、シーンＩＤの映像データである視聴映像シーンデータ及びシーンに関連する広告を示す店舗ＩＤが格納されている。
【００５１】
ここで、映像シーンと店舗ＩＤとを関連づける方法について説明する。例えば、以下のように行なわれる。
【００５２】
視聴映像サーバ６は、広告サーバ８から、店舗ＩＤと詳細広告データ又は、詳細広告データをデータ分析処理用に簡略化したデータを取得する。
【００５３】
次に、視聴映像サーバ６において、例えば、店舗ＩＤに関連する詳細広告データ（又は簡略化したデータ）と映像シーンデータのそれぞれから、文章を抽出し、形態素解析を行ない、名詞、形容詞又は動詞などの自立語を抽出する。形態素解析とは、辞書等を参照し、自然言語で書かれた文を形態素（言語で意味を持つ最小単位）に分解してコンピュータ処理に適した形にすることである。
【００５４】
次に、視聴映像サーバ６では、抽出した単語、該単語の出現頻度から得られる統計情報（ＴＦＩＤＦ、Ｔｅｒｍ  Ｆｒｅｑｕｅｎｃｙ  Ｉｎｖｅｒｓｅ  Ｄｏｃｕｍｅｎｔ  Ｆｒｅｑｕｅｎｃｙ）を用い、キーワードベクトルを生成し、類似度を算出する。該類似度について、例えば閾値を設定し、閾値以上の類似度であれば、類似するとして、該映像シーンと広告データの店舗ＩＤとを関連づけて、録画番組データベース４に記憶する。
【００５５】
または、番組中で紹介された店舗の情報（例えば、店舗ＩＤ）がシーンごとに付加情報として付加されており、視聴映像サーバ６は、付加情報からシーンＩＤと店舗ＩＤとを関連づけて、録画番組データベース４に記憶するとしてもよい。
【００５６】
図４は、視聴映像サーバ６内の録画番組データベース４の一例である。
図４において、例えば、シーンＩＤが「Ｓ０００１」であるシーンは２００６年１２月２１日１７時１０分１０秒から１７時１５分２０秒の間放送されており、このシーンに該当する店舗ＩＤは「Ａ０００１」である。また逆に、店舗ＩＤが「Ａ０００１」に該当するシーンは「Ｓ０００１」と「Ｓ０００３」であることを示している。
【００５７】
このようにすることで、番組に関連した店舗についての情報を簡易に取得可能とすることができる。
【００５８】
図５は、視聴映像サーバ６内の視聴履歴データベース５の一例である。
視聴履歴データベース５では、各シーンに対して、ユーザが視聴したかどうかを再生履歴として保存する。例えば、再生済みのものは１、未再生のものは０で表す。すなわち、再生履歴の初期値は、「０」であり、再生が行なわれると、「１」に上書きされることになる。図５においては、シーンＩＤが「Ｓ０００１」、「Ｓ０００２」、「Ｓ０００３」は再生済み、「Ｓ０００４」は未再生であることを示している。上記に示したのは一例であって、再生済み、未再生等の識別ができれば、これに限定されない。
【００５９】
このようにすることで、視聴映像サーバ６では、ユーザが番組映像を視聴した否かに基づいて視聴履歴データベース５を構築するため、ユーザがデータを入力する必要がなく、自動的にユーザの嗜好を反映させたデータベースとし、ユーザの嗜好についての情報を簡易に取得することができる。
【００６０】
（広告サーバ）
広告サーバ８は、広告配信会社などの広告用コンテンツを有している事業者が保有している広告データ管理用のサーバで、店舗と広告コンテンツを関連付けた広告データベース７を有している。
【００６１】
図６は、広告サーバ８内の広告データベース７の一例である。
広告データベース７は、各々の店舗毎に一意に割り振られる店舗ＩＤと、各店舗の広告である詳細広告データ等から構成されている。
【００６２】
図６において、店舗ＩＤが「Ａ０００１」である店舗用の詳細広告データは「ｃｏｎｔｅｎｔｓ−Ａ」である。ここで「ｃｏｎｔｅｎｔｓ−Ａ」は、画像データ、音声データ又はテキストデータなどによって複数から構成されるデータが端末装置２で表示可能なデータフォーマットとして記録されており、例えば、ＨＴＭＬ（ＨｙｐｅｒＴｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）などの形式で記録されている。
【００６３】
（店舗情報発信装置）
店舗情報発信装置３は、例えば、各店舗に取り付けられていて、店舗固有の店舗ＩＤやその他各店舗に関する情報を無線等によって周囲の限られた空間に発信する装置である。
【００６４】
図７は、店舗情報発信装置３から発信するデータフォーマットの一例を示している。
店舗ＩＤは各店舗に固有に割り振られるＩＤで、前述の広告サーバ８内の広告データベース７における店舗ＩＤ、視聴映像サーバ６内の録画番組データベース４における店舗ＩＤと同一のものである。店舗名称データは各店舗の名称を表すもので、文字列によって構成される。広告概要データは店舗の概要説明や簡単な広告を記述したもので、文字列によって構成される。
【００６５】
（広告表示処理）
次に、上述した広告配信システム１の動作において、端末装置２が広告リスト表示を行なう処理までを図８を参照して説明する。
【００６６】
図８は、広告配信システム１において、端末装置２が店舗データを受信してから広告を表示するまでの一連の処理を説明したフローチャートである。
【００６７】
Ｓ１０１において、端末装置２の店舗情報管理部１４は、店舗情報発信装置３から発信されている店舗データを店舗情報受信部１１が受信したか否かを定期的に確認している。店舗データの受信がなく、「ＮＯ」となった場合には、端末装置２の店舗情報管理部１４は、本処理を終了する。そして、再度、端末装置２の店舗情報管理部１４は、本処理を起動し、Ｓ１０１に戻り、店舗データの受信がある否かを確認することになる。
【００６８】
Ｓ１０１において、店舗データの受信があり、「ＹＥＳ」であった場合には、Ｓ１０２において、端末装置２の店舗情報管理部１４は、店舗情報受信部１１が受信した店舗データを取得店舗ＩＤデータベース１５に追加して記憶するとともに、Ｓ１０３において、視聴履歴の有無を確認するために、店舗データに含まれる店舗ＩＤを抽出して、該店舗ＩＤをネットワーク送信処理部１２及びネットワーク送受信部１７を介して、視聴映像サーバ６に送信する。
【００６９】
視聴映像サーバ６では、録画番組データベース４を参照し、店舗ＩＤに対応するシーンＩＤの抽出を行なう。
【００７０】
次に、該シーンＩＤに関して視聴履歴があるか否か、視聴履歴データベース５の再生履歴の参照を行なう。視聴履歴データベース５を参照した結果、再生履歴があった場合には、視聴映像サーバ６は、視聴履歴として、シーンＩＤを端末装置２に送信する。
【００７１】
Ｓ１０３において、視聴履歴データがあり、「ＹＥＳ」となった場合には、Ｓ１０４の処理にすすむ。Ｓ１０３において、視聴履歴データがなく、「ＮＯ」となった場合には、Ｓ１０６の処理にすすむ。
【００７２】
視聴履歴データとして、シーンＩＤをネットワーク送受信部１７及びネットワーク受信処理部１６を介して受信した店舗情報管理部１４は、Ｓ１０４において、該シーンＩＤを視聴履歴として、取得店舗ＩＤデータベース１５の該当する店舗ＩＤのデータの更新を行なうとともに、Ｓ１０５において、その旨を、例えば、バイブレータ機能などを用いてユーザに対して視聴履歴広告受信として通知する。視聴履歴データがない場合には、何も行わない。
【００７３】
次に、Ｓ１０６において、Ｓ１０３で視聴履歴なしと判定した場合、又はユーザがエリア広告の表示操作を行なった場合は、エリア広告リスト表示を、Ｓ１０３で視聴履歴がありと判定され、且つユーザが視聴履歴広告の表示操作を行なった場合は、視聴履歴広告リスト表示を行う。
【００７４】
ここでエリア広告とは、店舗情報発信装置３からの店舗データに基づく広告のことで、ユーザの現在いる場所の近くにある店舗に関するものである。また、視聴履歴広告とは、視聴履歴サーバ６から、視聴履歴データを受信した店舗ＩＤに基づく広告のことで、ユーザが視聴した番組に関連したものである。
【００７５】
また、エリア広告又は視聴履歴広告の表示操作とこれらのリスト表示については、後述する。
【００７６】
次に、Ｓ１０７において、ユーザが広告の詳細内容の表示を行う操作を行った場合で、エリア広告リスト表示から行ったときは、エリア広告詳細表示を、視聴履歴広告リストから行ったときは、視聴履歴詳細表示を行う。
【００７７】
（端末装置における店舗データの受信態様と表示例）
図９は、店舗情報発信装置３と端末装置２との位置関係による店舗データの受信態様と表示例を説明した図である。
【００７８】
図９（ａ）は、店舗情報発信装置３からの店舗データの受信態様を、図９（ｂ）は、エリア広告リストの表示例を示したものである。
【００７９】
（１）のように、いずれの店舗情報発信装置３からも店舗データを受信していない状態においては、端末装置２は、エリア広告領域及びエリア広告リストは表示しない。
【００８０】
（２）のように、店舗情報発信装置３ａから店舗データａを受信すると、端末装置２は取得店舗ＩＤデータベース１５に店舗データａを登録するとともに、表示部にエリア広告領域を設けて店舗データａをリスト表示する。また、店舗データａに関する視聴履歴の有無を確認して、視聴履歴がある場合は、視聴履歴広告受信をユーザへ通知する。
【００８１】
更に、（３）のように、店舗情報発信装置３ｂから店舗データｂを受信すると、端末装置２は、取得店舗ＩＤデータベース１５に店舗データｂを登録するとともに、エリア広告領域に店舗データａ、店舗データｂをリスト表示する。また、店舗データｂに関する視聴履歴の有無を確認して、視聴履歴がある場合は、視聴履歴広告受信をユーザへ通知する。
【００８２】
更に、（４）のように、店舗情報発信装置３ｃから店舗データｃを受信すると、端末装置２は、取得店舗ＩＤデータベース１５に店舗データｃを登録するとともに、エリア広告領域に店舗データａ、店舗データｂ、店舗データｃをリスト表示する。また、店舗データｃに関する視聴履歴の有無を確認して、視聴履歴がある場合は、視聴履歴広告受信をユーザへ通知する。
【００８３】
（５）のように、店舗情報発信装置３ａのエリアから外れて店舗データａを受信できなくなると、端末装置２は、取得店舗ＩＤデータベース１５から店舗データａを消去するとともに、エリア広告領域から店舗データａを消去して店舗データｂ、店舗データｃをリスト表示する。
【００８４】
（６）のように、店舗情報発信装置３ｂのエリアからも外れると、端末装置２は、取得店舗ＩＤデータベース１５から店舗データｂを消去するとともに、エリア広告領域から店舗データｂを消去して店舗データｃのみをリスト表示する。
【００８５】
（７）のように、全ての店舗情報発信装置３のエリアから出ると、端末装置２は、店舗取得ＩＤデータベースから全てのデータを消去するとともに、エリア広告領域の表示を消去する。
【００８６】
以上に説明したように、端末装置２は、受信する店舗情報発信装置３の店舗データにより、エリア広告リストの表示を切替えて、常に位置を反映した店舗情報をユーザに提供することができる。
【００８７】
（エリア広告又は視聴履歴広告の表示操作とリスト表示）
図１０は、端末装置２が視聴履歴広告を受信してから、エリア広告又は視聴履歴広告の表示を行う様子を示した遷移図である。
端末装置２は、視聴履歴広告を受信すると、ユーザに対して、図８のフローチャートのＳ１０５で説明したが、例えば、図１０（ａ）のように、バイブレータ機能などを用いて通知する。
【００８８】
ここで、例えば、図１０（ｂ）のように、画面を縦にするとエリア広告を表示し、図１０（ｃ）のように、画面を横にすると視聴履歴広告を表示する。更に、リスト表示中に詳細表示を要求すると各々の広告において、図１０（ｄ）、（ｅ）のように、広告詳細表示をする。
【００８９】
図１１は、図１０の遷移図に示した遷移をより詳細にまとめて、端末装置２の機器の状態と表示部１９に対する表示内容が、ユーザからの操作によってどのように変更されるかの一例をまとめた一覧表である。
【００９０】
まず、一覧表に表記しているそれぞれの端末装置２の「機器の状態」について、以下に説明する。
【００９１】
「閉状態」とは、端末装置２が待機している状態のことである。折り畳んだり、蓋を閉じたりしている状態や表示部１９になにも表示がなされていない状態等のことである。
【００９２】
「閉状態（通知）」とは、「閉状態」時に視聴履歴広告を受信して、ユーザに通知している状態のことである。例えば、バイブレータによる振動や音等を使ってユーザに通知する。
【００９３】
「開状態（縦画面）」とは、端末装置２を使用している状態又は表示部１９に画像が表示されている状態で、画面を縦にして使用している状態のことである。
【００９４】
「開状態（横画面）」とは、端末装置２を使用している状態又は表示部１９に画像が表示されている状態で、画面を横にして使用している状態のことである。
【００９５】
次に、一覧表に表記しているそれぞれの端末装置２の「表示内容」について、以下に説明する。
【００９６】
「エリア広告受信状態」とは、店舗情報発信装置３から店舗データを受信している状態のことである。この段階での表示部１９への表示は、まだ行なわれない。
【００９７】
「通常表示」とは、ブラウザやメールの表示等、エリア広告や視聴履歴広告に関するもの以外の他のアプリケーションによる表示を行なっている状態のことである。
【００９８】
「視聴履歴広告受信状態」とは、端末装置２が、店舗ＩＤを視聴映像サーバ６に送信して、該店舗ＩＤに対応するシーンＩＤにつき視聴履歴があるか否かの問い合わせを行ない、エリア広告の中に視聴履歴広告が含まれることを確認した状態のことである。この段階での表示部１９への表示は、まだ行なわれない。
【００９９】
「エリア広告リスト表示」とは、端末装置２が、１つ以上のエリア広告を受信して表示部１９にリスト表示している状態のことである。
【０１００】
「エリア広告詳細表示」とは、「エリア広告リスト表示」を行なったリストの中からユーザが選択したものについて、より詳細な情報を表示している状態のことである。
【０１０１】
「視聴履歴広告リスト表示」とは、端末装置２が、１つ以上の視聴履歴広告を受信して表示部１９にリスト表示している状態のことである。
【０１０２】
「視聴履歴広告詳細表示」とは、「視聴履歴広告リスト表示」を行なったリストの中からユーザが選択したものについて、より詳細な情報を表示している状態のことである。
【０１０３】
「視聴履歴広告無エラー表示」とは、視聴履歴広告がない状態において、ユーザが視聴履歴広告表示の操作をして、エラーメッセージを表示している状態のことである。
【０１０４】
具体例を示せば、例えば、「機器の状態（Ｂｅｆｏｒｅ）」が「閉状態」、「表示内容（Ｂｅｆｏｒｅ）」が「エリア広告受信状態」の時に、「ユーザからの操作」について「画面を縦に開く」が行われると、機器の状態（Ａｆｔｅｒ）が「開状態（縦画面）」となり、表示内容（Ａｆｔｅｒ）が「エリア広告リスト表示」に端末装置２の状態が変わることを示している。
【０１０５】
（エリア広告の表示処理）
エリア広告の表示処理について、図１２及び図１３を参照して説明する。
図１２は、端末装置２がエリア広告を受信してからエリア広告詳細表示を行うまでの処理の流れを示すフローチャートであり、図１３は、この一連の処理中に端末装置２の表示部１９に表示させる画面の例を示したものである。
【０１０６】
図１３（ａ）の「通常表示」のように、端末装置２は、他のアプリケーションを起動中又は待ち受け状態であるとする。端末装置２は、表示するエリア広告がないか、又は、未確定のときにこのような表示を行う。
【０１０７】
Ｓ２０１において、端末装置２の店舗情報管理部１４は、店舗情報発信装置３からエリア広告として店舗データを受信すると、Ｓ２０２において、図１３（ｂ）の「エリア広告リスト表示」のように、受信した分の店舗データの情報を表示管理部１３及び表示処理部１８を介し、リストにしてエリア広告リストとして表示部１９に表示する。この画面例では、画面下部にエリア広告を表示しているが、表示領域は、特に問わない。画面全面に表示してもよい。リスト内に複数の項目がある場合は、本例では、テロップ表示を想定しているが、ユーザがリスト表示をスクロールしてもよい。
【０１０８】
Ｓ２０３において、リスト画面を閲覧しているユーザが、エリア広告リストを表示している画面を、例えば、縦から横にした場合は、後述するＳ２０４の視聴履歴広告表示処理を行う。
【０１０９】
この表示画面を縦から横にするような操作は、例えば、折り畳み式の端末装置２の表示画面のある筐体と入力キーのある筐体とを連結するヒンジ部にセンサーがあり、表示画面が縦から横にしたことをセンサーによって検出すると、表示部状態検出部２１から店舗情報管理部１４に信号が伝わり、リスト表示の切り替えが可能となる。
【０１１０】
端末装置２の店舗情報管理部１４は、Ｓ２０３において画面を縦から横にする操作が行なわれなかったと判定して「ＮＯ」となった場合で、Ｓ２０５において、ユーザがエリア広告リストの中から一つを選択する操作を行なうと、Ｓ２０６において、端末装置２の店舗情報管理部１４は、選択された店舗の店舗ＩＤを、ネットワーク送信処理部１２及びネットワーク送受信部１７を介して、広告サーバ８へ送信する。
【０１１１】
広告サーバ８は、受信した店舗ＩＤに基づいて広告データベース７を参照し、店舗の詳細広告データを検索して端末装置２へと送信する。Ｓ２０７において、端末装置２の表示管理部１３は、広告サーバ８から、ネットワーク送受信部１７及びネットワーク受信処理部１６を介して、詳細広告データをエリア広告詳細情報として取得する。
【０１１２】
Ｓ２０８において、端末装置２の表示管理部１３は、受信したエリア広告詳細情報を図１３（ｃ）のように表示部１９に表示する。ユーザは端末装置２のキーを操作してエリア広告詳細情報の説明文を閲覧する。図１３（ｃ）の画面例は、表示内容が「エリア広告詳細表示」の場合である。広告サーバ８から取得した詳細広告データからなる店舗に関する詳細な説明の表示を行う。例えば、説明文に加えて、動画や静止画等の画像データ等を表示してもよい。更に、例えば、店舗のクーポンや地図情報を取得可能なボタン３１ａ、３１ｂの表示を行なってもよい。
【０１１３】
Ｓ２０９において、画面内のリンク、例えば、クーポンボタン３１ａ又は地図ボタン３１ｂの選択がなされたか否かの判定がなされる。
【０１１４】
ユーザが、端末装置２のキーを操作して、エリア広告詳細情報の説明文中にあるクーポンボタン３１ａを選択すると、ユーザ入力部２０から、店舗情報管理部１４、表示管理部１３へと信号が伝わり、表示管理部１３は、表示処理部１８に制御信号を送り、表示処理部１８は、Ｓ２１０において、図１３（ｄ）のように、店舗のクーポンを表示するように表示部１９の表示の切り替えを行なう。
【０１１５】
また、Ｓ２０９の判定において、ユーザが、端末装置２のキーを操作して、エリア広告詳細情報の説明文中にある地図ボタン３１ｂを選択すると、同様に、図１３（ｅ）のように、店舗までの地図といった地図情報を表示するように表示部１９の表示の切り替えが行なわれる。
【０１１６】
また、Ｓ２０９において、ユーザがボタン３１を選択しなかった場合、本処理を終了する。
【０１１７】
また、別の店舗に関する情報を取得する場合は、Ｓ２０２のエリア広告リスト表示まで戻って改めて選択する。
【０１１８】
（視聴履歴広告の表示処理）
視聴履歴広告の表示処理について、図１４及び図１５を参照して説明する。
図１４は、端末装置２が視聴履歴広告を受信してから視聴履歴広告詳細表示を行うまでの処理の流れを示すフローチャートであり、図１５は、この一連の処理中に端末装置２の表示部１９に表示させる画面の例を示したものである。
【０１１９】
図１２のＳ２０３において、ユーザにより表示画面を縦から横にする等の画面切り替えの操作が行なわれ、視聴履歴広告の表示要求がなされると、Ｓ２０４から本処理にうつる。
【０１２０】
Ｓ３０１において、視聴履歴広告の表示要求があり、端末装置２の店舗情報管理部１４が、視聴履歴広告の表示を行なうための制御信号を認識すると、Ｓ３０２において、店舗ＩＤについて視聴履歴広告があるか否かの判定がなされる。すなわち、端末装置２の店舗情報管理部１４は、受信し、エリア広告リスト表示している店舗ＩＤに関する視聴履歴を視聴映像サーバ６から取得するために、店舗ＩＤをネットワーク送信処理部１２及びネットワーク送受信部１７を介して、視聴映像サーバ６に送信する。
【０１２１】
視聴映像サーバ６は、受信した店舗ＩＤから、録画番組データベース４を参照して、対応するシーンＩＤを取得し、更に、該シーンＩＤから視聴履歴データベース５より、シーンＩＤに再生履歴があるか否かについて参照する。
【０１２２】
シーンＩＤに再生履歴があった場合には、視聴映像サーバ６は、視聴履歴データとして、該シーンＩＤを端末装置２に送信する。シーンＩＤに再生履歴がなかった場合又は店舗ＩＤに該当するシーンＩＤがなかった場合には、視聴映像サーバ６は、視聴履歴なしの通知を端末装置２に送信する。
【０１２３】
Ｓ３０２において、「ＹＥＳ」となり、視聴映像サーバ６から視聴履歴データを受信して、視聴履歴広告があると端末装置２の店舗情報管理部１４が判定した場合には、Ｓ３０３において、視聴履歴広告のある店舗データをリストにして視聴履歴広告リストとして、図１５（ａ）のように、表示部１９に表示する。図１５（ａ）の例では、全画面表示しているが、図１３（ｂ）のエリア広告リスト表示のように画面の一部に表示してもよい。
【０１２４】
また、視聴履歴広告のない旨の通知を受信し、Ｓ３０２の判定で「ＮＯ」となった場合には、Ｓ３０４において、図１５（ｂ）のように視聴履歴広告がない旨を示すエラー画面を表示する。図１５（ｂ）に示すように、例えば、通常表示を行うとともに画面の一部に表示したり、あるいは全体に視聴履歴広告がない旨のメッセージ４１を表示する。
【０１２５】
Ｓ３０５の判定において、ユーザにより視聴履歴広告リストを表示している画面を例えば、横から縦にした場合は、図１２で説明したフローチャート図のＳ２０２におけるエリア広告リスト表示処理にすすむ。
【０１２６】
Ｓ３０５で、画面の向きを変える操作、例えば、横向きの画面を縦にする等の操作が行なわれなく、「ＮＯ」となった場合で、Ｓ３０６において、ユーザにより視聴履歴広告リストの中の一つを選択する操作がなれされ、ユーザ入力部２０からの信号が伝達されると、端末装置２の店舗情報管理部１４は、Ｓ３０７において、選択された店舗の店舗ＩＤを、ネットワーク送信処理部１２及びネットワーク送受信部１７を介して、広告サーバ８へ送信する。
【０１２７】
店舗ＩＤを受信した広告サーバ８は、受信した店舗ＩＤに基づいて、広告データベース７を参照し、詳細広告データを抽出して、端末装置２へと送信する。
【０１２８】
Ｓ３０８において、端末装置２の表示管理部１３は、ネットワーク送受信部１７及びネットワーク受信処理部１６を介して、広告サーバ８から、詳細広告データを視聴履歴広告詳細情報として取得する。
【０１２９】
Ｓ３０９において、端末装置２の表示管理部１３は、受信した詳細広告データを表示部１８に出力し、図１５（ｃ）のように、表示部１９に表示させる。この画面では、例えば、説明文に加えて動画や静止画等の画像データを表示するとしてもよい。更に、例えば、店舗に関連する映像、クーポンや地図情報を取得可能なボタン４２ａ、４２ｂ、４２ｃを表示するとしてもよい。
【０１３０】
Ｓ３１０において、画面内のリンク、例えば、映像ボタン４２ａ、クーポンボタン４２ｂ又は地図ボタン４２ｃの選択がなされたか否かの判定がなされる。
【０１３１】
Ｓ３１０において、ユーザが、端末装置２のキーを操作して、視聴履歴広告詳細情報の説明文にある映像ボタン４２ａを選択すると、ユーザ入力部２０から、店舗情報管理部１４へ信号が伝わり、Ｓ３１１において、店舗情報管理部１４は、取得店舗ＩＤデータベース１５の視聴履歴を参照して、店舗ＩＤに対応するシーンＩＤを抽出する。店舗情報管理部１４は、ネットワーク送信処理部１２及びネットワーク送受信部１７を介して、シーンＩＤを視聴映像サーバ６へ送信する。
【０１３２】
視聴映像サーバ６は、受信したシーンＩＤに基づいて、録画番組データベース４を参照し、シーンＩＤに対応する視聴映像シーンデータを抽出して端末装置２へと送信する。また、視聴映像サーバ６は、番組名、放送局名、放送日時などの番組情報も視聴映像シーンデータに併せて送信する。このとき送信する視聴映像シーンデータは、ファイルデータとして送信してもよいし、ストリーミングデータとして送信してもよい。
【０１３３】
Ｓ３１２において、端末装置２の表示管理部１３は、ネットワーク送受信部１７及びネットワーク受信処理部１６を介して、視聴映像シーンデータを受信し、表示管理部１３は、表示処理部１８に制御信号を送り、表示処理部１８は、Ｓ３１３において、図１５（ｄ）のように、映像シーンの表示をするように表示部１９の表示の切り替えを行なう。また、このとき、図１５（ｄ）のように、視聴映像シーンデータとともに受信した番組情報４３も併せて表示するとしてもよい。
【０１３４】
また、Ｓ３１０の判定において、ユーザが、端末装置２のキーを操作して、視聴履歴広告詳細情報の説明文中にあるクーポンボタン４２ｂを選択すると、Ｓ３１４において、同様に、店舗のクーポンの表示をするように表示部１９の表示の切り替えが行なわれる。
【０１３５】
また、Ｓ３１０の判定において、ユーザが、端末装置２のキーを操作して、視聴履歴広告詳細情報の説明文中にある地図ボタン４２ｃを選択すると、同様に、Ｓ３１５において、店舗までの地図といった地図情報の表示をするように表示部１９の表示の切り替えが行なわれる。
【０１３６】
また、いずれのリンクボタン４２も選択されなかった場合には、本処理を終了するとしてもよい。
【０１３７】
また、別の視聴履歴広告に関する情報を取得する場合は、Ｓ３０３の視聴履歴広告リスト表示まで戻って改めて選択する。また、エリア広告を表示する場合は、表示している画面を縦にすると図１２のＳ２０２の処理にすすみ、エリア広告リストを表示する。
【０１３８】
（端末装置の機器の状態と広告の表示）
図１６は、本発明における機器の状態と表示する広告の関係を示した図である。
【０１３９】
「形状１」は、縦型の折り畳み式の端末装置２であり、形状１における広告の表示例を示している。この形状１の端末装置２の場合は、例えば、（ａ）の閉状態から、（ｂ）のように表示部５１ａを開くと、エリア広告を表示し、更に、（ｃ）のように表示部５１ａを横にすると視聴履歴広告を表示する。
【０１４０】
「形状２」は、縦にも横にも表示部５１ｂが開く折り畳み式端末装置２であり、形状２における広告の表示例を示している。この形状２の端末装置２の場合は、例えば、（ｄ）の閉状態から、（ｅ）のように表示部５１ｂを縦に開くとエリア広告を表示し、（ｄ）の閉状態から、（ｆ）のように表示部５１ｂを横に開くと視聴履歴広告を表示する。
【０１４１】
「形状３」は、表示部５１ｃが可動式ではないタイプの端末装置２であり、形状３における広告の表示例を示している。この形状３の端末装置２の場合は、例えば、（ｇ）のように表示の行われていない待機状態が折り畳み式の端末装置２における閉状態に相当する。例えば、（ｇ）の待機状態から、（ｈ）のように端末装置２を縦にして表示を行うとエリア広告を表示し、（ｇ）の待機状態から、（ｉ）のように端末装置２を横にして表示を行うと視聴履歴広告を表示する。または、横表示においてエリア広告を表示し、横表示から縦表示にすると視聴履歴広告を表示するとしてもよい。
【０１４２】
なお、上記で折り畳み式の端末装置２において表示部を開く方式で説明したが、表示部を開く代わりにスライドさせるタイプのものでも同様である。
【０１４３】
このように、端末装置２の表示部の向きによってエリア広告と視聴履歴広告の表示を切り替えることによって、ユーザは、エリア広告と視聴履歴広告のうち現在どちらに関する広告を閲覧しているかを容易に把握することができる。
【０１４４】
また、ユーザは、端末装置２において、エリア広告と視聴履歴広告の表示を容易に切り替えて閲覧することができる。
【０１４５】
また、端末装置２は、エリア広告と視聴履歴広告を切り替えて表示するために、様々な広告を煩雑にならずに表示することができる。
【０１４６】
尚、本発明の広告配信システム、端末装置、広告配信方法、プログラム及び記録媒体は、上述の図示例にのみ限定されるものではなく、本発明の要旨を逸脱しない範囲内において種々変更を加え得ることは勿論である。
【図面の簡単な説明】
【０１４７】
【図１】本発明における広告配信システムの概要を示す構成図である。
【図２】本発明における端末装置の構成を示したブロック図である。
【図３】本発明における端末装置内の取得店舗ＩＤデータベースの一例である。
【図４】本発明における視聴映像サーバ内の録画番組データベースの一例である。
【図５】本発明における視聴映像サーバ内の視聴履歴データベースの一例である。
【図６】本発明における広告サーバ内の広告データベースの一例である。
【図７】本発明における店舗情報発信装置から発信するデータフォーマットの一例を示している。
【図８】本発明における広告配信システムにおいて、端末装置が店舗データを受信してから広告を表示するまでの一連の処理を説明したフローチャートである。
【図９】本発明における店舗情報発信装置と端末装置との位置関係による店舗データの受信態様と表示例を説明した図である。
【図１０】本発明における端末装置が視聴履歴広告を受信してから、エリア広告又は視聴履歴広告の表示を行う様子を示した遷移図である。
【図１１】本発明における端末装置の機器の状態と表示部の表示内容について、ユーザの操作と変更の関係の例をまとめた一覧表である。
【図１２】本発明における端末装置がエリア広告を受信してからエリア広告詳細表示を行うまでの処理の流れを示すフローチャートである。
【図１３】本発明における端末装置に表示される画面の例である。
【図１４】本発明における端末装置が視聴履歴広告を受信してから視聴履歴広告詳細表示を行うまでの処理の流れを示すフローチャートである。
【図１５】本発明における端末装置に表示される画面の例である。
【図１６】本発明における機器の状態と表示する広告の関係を示した図である。
【符号の説明】
【０１４８】
１  広告配信システム
２  端末装置
３  店舗情報発信装置
４  録画番組データベース
５  視聴履歴データベース
６  視聴映像サーバ
７  広告データベース
８  広告サーバ
１１  店舗情報受信部
１２  ネットワーク送信処理部
１３  表示管理部
１４  店舗情報管理部
１５  取得店舗ＩＤデータベース
１６  ネットワーク受信処理部
１７  ネットワーク送受信部
１８  表示処理部
１９、５１  表示部
２０  ユーザ入力部
２１  表示状態検出部
３１、４２  ボタン
４１  メッセージ
４３  番組情報
【図１】
2008210331.tif 000003
【図２】
2008210331.tif 000004
【図３】
2008210331.tif 000005
【図４】
2008210331.tif 000006
【図５】
2008210331.tif 000007
【図６】
2008210331.tif 000008
【図７】
2008210331.tif 000009
【図８】
2008210331.tif 000010
【図９】
2008210331.tif 000011
【図１０】
2008210331.tif 000012
【図１１】
2008210331.tif 000013
【図１２】
2008210331.tif 000014
【図１３】
2008210331.tif 000015
【図１４】
2008210331.tif 000016
【図１５】
2008210331.tif 000017
【図１６】
2008210331.tif 000018